【手続補正書】
【提出日】平成16年10月4日(2004.10.4)
【手続補正１】
【補正対象書類名】明細書
【補正対象項目名】特許請求の範囲
【補正方法】変更
【補正の内容】
【特許請求の範囲】
【請求項１】
水晶体超音波吸引装置であって、
細長い中空の針本体を備え、該本体は、排出ポートと、直線部と、前記排出ポートと前記直線部との間に曲がり部と、細長チャネルとを有し、前記曲がり部が前記直線部に対して前記本体の角度方向を変え、前記細長チャネルが前記本体の前記中空を規定し、
前記本体は、前記細長チャネルが前記曲がり部の前において、前記曲がり部において若しくは前記曲がり部の後において前記直線部への方向に延びるほどに直径方向に狭くなるように前記細長チャネルを規定し、また、前記本体は細長外面を備え、前記曲がり部の前において、前記曲がり部において若しくは前記曲がり部の後において前記直線部への方向に延びるほどに直径方向に狭くなるように構成されており、
前記細長チャネルと前記細長外面とはいずれも、前記直線部と前記曲がり部との間において、前記排出ポートから離れる方向において直径方向に狭くするように構成されている水晶体超音波吸引装置。
【請求項２】
さらに、フレキシブルな注入スリーブを備え、該スリーブが自由端を備え、該自由端は、前記曲がり部が前記スリーブの領域の外側でかつ前記スリーブの自由端を越えた位置に配置するように前記曲がり部に対して一直線上に配置している請求項１に記載の水晶体超音波吸引装置。
【請求項３】
さらに、前記注入スリーブと前記直線部との間に配置した固いスリーブを備えた請求項２に記載の水晶体超音波吸引装置。
【請求項４】
互いに対して適切な位置に前記注入スリーブと前記本体とを保持する水晶体超音波吸引ハンドピースを備え、前記ハンドピースが本体に振動運動を付与するドライバーを有する請求項３に記載の水晶体超音波吸引装置。
【請求項５】
互いに対して適切な位置に前記注入スリーブと前記本体とを保持する水晶体超音波吸引ハンドピースを備え、前記ハンドピースが本体に振動運動を付与するドライバーを有する請求項２に記載の水晶体超音波吸引装置。
【請求項６】
互いに対して適切な位置に前記注入スリーブと前記本体とを保持するハンドピースをさらに備え、
水晶体超音波吸引ハンドピースに接続されかつ前記注入スリーブと前記細長中空針本体との間のギャップに流体連通した注入ラインを備え、
該注入ラインがギャップ面積によって規定された寸法と少なくとも同じ寸法である面積によって規定された寸法を有する中空領域を備えた環状である請求項５に記載の水晶体超音波吸引装置。
【請求項７】
前記注入スリーブの内側に取り付けた固い裏地を備えた請求項２に記載の水晶体超音波吸引装置。
【請求項８】
水晶体超音波吸引装置であって、
細長い中空の針本体を備え、該本体は、排出ポートと、直線部と、前記排出ポートと前記直線部との間に曲がり部と、細長チャネルとを有し、前記曲がり部が前記直線部に対して前記本体の角度方向を変え、前記細長チャネルが前記本体の前記中空を規定し、
前記本体は、前記細長チャネルが前記曲がり部の前において、前記曲がり部において若しくは前記曲がり部の後において前記直線部への方向に延びるほどに直径方向に狭くなるように前記細長チャネルを規定し、また、前記本体は細長外面を備え、前記曲がり部の前において、前記曲がり部において若しくは前記曲がり部の後において前記直線部への方向に延びるほどに直径方向に狭くなるように構成されており、
前記装置はさらに、フレキシブルな注入スリーブを備え、該スリーブが自由端を備え、該自由端は、前記曲がり部が前記スリーブの領域の外側でかつ前記スリーブの自由端を越えた位置に配置するように前記曲がり部に対して一直線上に配置しており、
前記装置はさらに、互いに対して適切な位置に前記注入スリーブと前記本体とを保持する水晶体超音波吸引ハンドピースを備え、前記ハンドピースが本体に振動運動を付与するドライバーを有するものであり、
前記装置はさらに、水晶体超音波吸引ハンドピースに接続され、かつ前記注入スリーブと前記細長中空針本体との間のギャップに流体連通した注入ラインを備え、該注入ラインがギャップ面積によって規定された寸法と少なくとも同じ寸法である面積によって規定された寸法を有する中空領域を備えた環状である水晶体超音波吸引装置。
【請求項９】
水晶体超音波吸引装置であって、
細長い中空の針本体を備え、該本体は、排出ポートと、直線部と、前記排出ポートと前記直線部との間に曲がり部と、細長チャネルと、細長外面とを有し、前記曲がり部が前記直線部に対して前記本体の角度方向を変え、前記細長チャネルが前記本体の前記中空を規定し、
前記細長チャネルと前記細長外面とはいずれも、前記排出ポートから離れる方向において直径方向に狭くなるように構成された部分を前記直線部と前記排出ポートとの間に有する水晶体超音波吸引装置。
【請求項１０】
さらに、フレキシブルな注入スリーブを備え、該スリーブが自由端を備え、該自由端は、前記曲がり部が前記スリーブの領域の外側でかつ前記スリーブの自由端を越えた位置に配置するように前記曲がり部に対して一直線上に配置している請求項９に記載の水晶体超音波吸引装置。
【請求項１１】
さらに、注入スリーブと直線部との間に配置した固いスリーブを備えた請求項１０に記載の水晶体超音波吸引装置。
【請求項１２】
互いに対して適切な位置に注入スリーブと本体とを保持する水晶体超音波吸引ハンドピースを備え、前記ハンドピースが本体に振動運動を付与するドライバーを有する請求項１１に記載の水晶体超音波吸引装置。
【請求項１３】
互いに対して適切な位置に注入スリーブと本体とを保持する水晶体超音波吸引ハンドピースを備え、前記ハンドピースが本体に振動運動を付与するドライバーを有する請求項１０に記載の水晶体超音波吸引装置。
【請求項１４】
さらに、水晶体超音波吸引ハンドピースに接続され、かつ前記注入スリーブと前記細長中空針本体との間のギャップに流体連通した注入ラインを備え、該注入ラインがギャップ面積によって規定された寸法と少なくとも同じ寸法である面積によって規定された寸法を有する中空領域を備えた環状である請求項１３に記載の水晶体超音波吸引装置。
【請求項１５】
さらに、前記注入スリーブの内側に取り付けた固い裏地を備えた請求項１０に記載の水晶体超音波吸引装置。
【請求項１６】
水晶体超音波吸引装置であって、
排出ポートを有する細長い中空の針本体と、
フレキシブルな注入スリーブと、
互いに対して適切な位置に前記注入スリーブと前記本体とを保持する水晶体超音波吸引ハンドピースであって、前記本体に振動運動を付与するドライバーを有する水晶体超音波吸引ハンドピースと、
前記水晶体超音波吸引ハンドピースに接続されかつ前記注入スリーブと前記細長中空針本体との間のギャップに流体連通した注入ラインとを備え、前記ギャップが、中空領域の面積によって規定された寸法と少なくとも同じ寸法である面積によって規定された寸法を有する水晶体超音波吸引装置。
【請求項１７】
前記注入スリーブと前記細長中空針本体との間に配置し、かつ、前記注入スリーブよりも固い固いスリーブをさらに備えた請求項１６に記載された水晶体超音波吸引装置。
【請求項１８】
前記注入スリーブの内部に離隔して配置し、かつ、前記注入スリーブよりも固い固い裏地をさらに備えた請求項１６に記載された水晶体超音波吸引装置。
【請求項１９】
前記細長中空針本体は、前記本体の細長に延びる方向を変える前記注入スリーブの外側に曲がり部を含む請求項１６に記載された水晶体超音波吸引装置。